(57)【特許請求の範囲】
【請求項１】
パターンプレートを載置すると共に該パターンプレートの外周を包囲して上下動する枠状フレームを設けた二つのパターンキャリアのうち、一方の前記パターンキャリアは基台に装着された昇降シリンダに連結されたテーブル上方に配置され、且つ、他方の前記パターンキャリアは前記基台の外側に配置され、前記二つのパターンキャリアは、回転可能なターンテーブルの両端部に載置された鋳型造型装置を用いて鋳型を造型する鋳型造型方法であって、
前記パターンプレートを載置すると共に該パターンプレートの外周を包囲して上下動する
枠状フレームを設けた二つの前記パターンキャリアのうち、一方の前記パターンキャリア
は前記テーブル上方に配置され、且つ、他方の前記パターンキャリアは前記基台の外側に配置され、さらに前記一方のパターンキャリア上には空の前記鋳枠及び盛枠が載置され、且つ、前記他方のパターンキャリア上には前記鋳物砂が充填された前記鋳枠及び盛枠が載置された状態で、前記一方のパターンキャリア、空の鋳枠及び盛枠を前記基台の外側に搬出し、且つ、前記他方のパターンキャリア、鋳物砂が充填された鋳枠及び盛枠を前記テーブル上方に搬入する工程と、前記他方のパターンキャリア、鋳物砂が充填された鋳枠及び盛枠を上昇させる工程と、前記他方のパターンキャリアにおける枠状フレームの上面を前記パターンプレートの見切面より突出させた状態にする工程と、前記砂ホッパの下面を前記基台の外側に搬出された盛枠の上面に当接させて、前記一方のパターンキャリアに載置されたパターンプレート、空の鋳枠及び盛枠により造型空間を形成する工程と、スクイズ手段におけるスクイズ部材を下降させて前記鋳物砂を一次スクイズする工程と、鋳枠搬入出機構を閉じる工程と、前記他方のパターンキャリアにおける枠状フレームの上面と前記パターンプレートの見切面が同一高さになるまで該パターンプレートを上昇させながら前記スクイズ部材を下降させて前記鋳物砂を二次スクイズする工程と、前記造型空間に砂充填手段により鋳物砂を充填する工程と、前記二次スクイズにおける前記パターンプレートの上昇終了後、前記スクイズ部材をさらに下降させて前記鋳物砂を三次スクイズする工程と、前記他方のパターンキャリアにおける前記パターンプレートを下降させて抜型する工程と、前記砂ホッパを前記基台の外側に搬出された盛枠から離反させる工程と、前記他方のパターンキャリアを下降させる工程と、前記砂充填手段における開閉式のルーバーゲートを閉じる工程と、前記砂充填手段における砂供給口開閉手段を開き、砂供給口から前記砂ホッパ内に前記鋳物砂を供給する工程と、前記他方のパターンキャリアの上方に配置された盛枠と前記他方のパターンキャリアとの間位置に空の鋳枠を搬入する工程と、前記他方のパターンキャリア上に空の鋳枠及び盛枠を載置する工程と、前記鋳枠搬入出機構を開く工程と、を有し、
前記造型空間に砂充填手段により鋳物砂を充填する工程が、前記砂充填手段における砂供給口開閉手段を閉じる工程と、前記砂充填手段における砂ホッパの内面に取り付けられたエヤー噴出チャンバーからエヤーを噴出させる工程と、前記砂充填手段における開閉式のルーバーゲートを開く工程と、を有することを特徴とする鋳型造型方法。
【請求項２】
パターンプレートを載置すると共に該パターンプレートの外周を包囲して上下動する枠状フレームを設けた二つのパターンキャリアのうち、一方の前記パターンキャリアは基台に装着された昇降シリンダに連結されたテーブル上方に配置され、且つ、他方の前記パターンキャリアは前記基台の外側に配置され、前記二つのパターンキャリアは、回転可能なターンテーブルの両端部に載置された鋳型造型装置を用いて鋳型を造型する鋳型造型方法であって、
前記パターンプレートを載置すると共に該パターンプレートの外周を包囲して上下動する
枠状フレームを設けた二つの前記パターンキャリアのうち、一方の前記パターンキャリア
は前記テーブル上方に配置され、且つ、他方の前記パターンキャリアは前記基台の外側に配置され、さらに前記一方のパターンキャリア上には空の前記鋳枠及び盛枠が載置され、且つ、前記他方のパターンキャリア上には前記鋳物砂が充填された前記鋳枠及び盛枠が載置された状態で、前記一方のパターンキャリア、空の鋳枠及び盛枠を前記基台の外側に搬出し、且つ、前記他方のパターンキャリア、鋳物砂が充填された鋳枠及び盛枠を前記テーブル上方に搬入する工程と、前記他方のパターンキャリア、鋳物砂が充填された鋳枠及び盛枠を上昇させる工程と、前記他方のパターンキャリアにおける枠状フレームの上面を前記パターンプレートの見切面より突出させた状態にする工程と、前記砂ホッパの下面を前記基台の外側に搬出された盛枠の上面に当接させて、前記一方のパターンキャリアに載置されたパターンプレート、空の鋳枠及び盛枠により造型空間を形成する工程と、前記他方のパターンキャリア、鋳物砂が充填された鋳枠及び盛枠をさらに上昇させて前記鋳物砂を一次スクイズする工程と、鋳枠搬入出機構を閉じる工程と、前記他方のパターンキャリアにおける枠状フレームの上面と前記パターンプレートの見切面が同一高さになるまで該パターンプレートを上昇させて前記鋳物砂を二次スクイズする工程と、前記造型空間に砂充填手段により鋳物砂を充填する工程と、前記二次スクイズにおける前記パターンプレートの上昇終了後、前記他方のパターンキャリア、鋳物砂が充填された鋳枠及び盛枠をさらに上昇させて前記鋳物砂を三次スクイズする工程と、前記他方のパターンキャリアにおける前記パターンプレートを下降させて抜型する工程と、前記砂ホッパを前記基台の外側に搬出された盛枠から離反させる工程と、前記他方のパターンキャリアを下降させる工程と、前記砂充填手段における開閉式のルーバーゲートを閉じる工程と、前記砂充填手段における砂供給口開閉手段を開き、砂供給口から前記砂ホッパ内に前記鋳物砂を供給する工程と、前記他方のパターンキャリアの上方に配置された盛枠と前記他方のパターンキャリアとの間位置に空の鋳枠を搬入する工程と、前記他方のパターンキャリア上に空の鋳枠及び盛枠を載置する工程と、前記鋳枠搬入出機構を開く工程と、を有し、
前記造型空間に砂充填手段により鋳物砂を充填する工程が、前記砂充填手段における砂供給口開閉手段を閉じる工程と、前記砂充填手段における砂ホッパの内面に取り付けられたエヤー噴出チャンバーからエヤーを噴出させる工程と、前記砂充填手段における開閉式のルーバーゲートを開く工程と、を有することを特徴とする鋳型造型方法。
【請求項３】
前記造型空間に前記砂充填手段により鋳物砂を充填する工程の後に、前記砂充填手段に連通された給気バルブを開くことにより、前記造型空間内の鋳物砂に圧縮空気を貫流させて前記造型空間内の鋳物砂を予備圧縮することを特徴とする請求項１〜２のいずれかに記載の鋳型造型方法。
【発明の詳細な説明】
【技術分野】
【０００１】
本発明は、鋳枠内に充填された鋳物砂をスクイズして鋳型を造型する鋳型造型方法に関する。
【背景技術】
【０００２】
従来、鋳型造型装置としては、例えば、上端が開口にされていると共に下位部に開閉式
のルーバーを備えた砂ホッパと多数のセグメントスクイズフットを有するスクイズ手段を
連結して配設し、鋳枠及び盛枠の上方に前記砂ホッパと前記スクイズ手段を交互に搬入出
させるものが公知にされている（例えば、特許文献１参照）。
【先行技術文献】
【特許文献】
【０００３】
【特許文献１】特開平７−１８５７４０号公報
【発明の概要】
【発明が解決しようとする課題】
【０００４】
しかし、特許文献１のものは、前記砂ホッパの内壁面に砂が付着してしまうという問題
がある。また前記砂ホッパと前記スクイズ手段を鋳枠及び盛枠の上方に交互に搬入出させ
るようになっているため、前記砂ホッパ及び前記スクイズ手段を走行させる機構が必要で
あり、これにより装置の構造が複雑になってしまうという問題がある。
【０００５】
本発明は、上記の問題に鑑みて成されたもので、砂ホッパの内壁面への砂付着を防止す
ることができると共に装置の構造をシンプルにすることができる鋳型造型方法を提供することを目的とする。
【課題を解決するための手段】
【００１０】
上記の目的を達成するために本発明の鋳型造型方法は、パターンプレートを載置すると共に該パターンプレートの外周を包囲して上下動する枠状フレームを設けた二つのパターンキャリアのうち、一方の前記パターンキャリアは基台に装着された昇降シリンダに連結されたテーブル上方に配置され、且つ、他方の前記パターンキャリアは前記基台の外側に配置され、前記二つのパターンキャリアは、回転可能なターンテーブルの両端部に載置された鋳型造型装置を用いて鋳型を造型する鋳型造型方法であって、前記パターンプレートを載置すると共に該パターンプレートの外周を包囲して上下動する枠状フレームを設けた二つの前記パターンキャリアのうち、一方の前記パターンキャリアは前記テーブル上方に配置され、且つ、他方の前記パターンキャリアは前記基台の外側に配置され、さらに前記一方のパターンキャリア上には空の前記鋳枠及び盛枠が載置され、且つ、前記他方のパターンキャリア上には前記鋳物砂が充填された前記鋳枠及び盛枠が載置された状態で、前記一方のパターンキャリア、空の鋳枠及び盛枠を前記基台の外側に搬出し、且つ、前記他方のパターンキャリア、鋳物砂が充填された鋳枠及び盛枠を前記テーブル上方に搬入する工程と、前記他方のパターンキャリア、鋳物砂が充填された鋳枠及び盛枠を上昇させる工程と、前記他方のパターンキャリアにおける枠状フレームの上面を前記パターンプレートの見切面より突出させた状態にする工程と、前記砂ホッパの下面を前記基台の外側に搬出された盛枠の上面に当接させて、前記一方のパターンキャリアに載置されたパターンプレート、空の鋳枠及び盛枠により造型空間を形成する工程と、スクイズ手段におけるスクイズ部材を下降させて前記鋳物砂を一次スクイズする工程と、鋳枠搬入出機構を閉じる工程と、前記他方のパターンキャリアにおける枠状フレームの上面と前記パターンプレートの見切面が同一高さになるまで該パターンプレートを上昇させながら前記スクイズ部材を下降させて前記鋳物砂を二次スクイズする工程と、前記造型空間に砂充填手段により鋳物砂を充填する工程と、前記二次スクイズにおける前記パターンプレートの上昇終了後、前記スクイズ部材をさらに下降させて前記鋳物砂を三次スクイズする工程と、前記他方のパターンキャリアにおける前記パターンプレートを下降させて抜型する工程と、前記砂ホッパを前記基台の外側に搬出された盛枠から離反させる工程と、前記他方のパターンキャリアを下降させる工程と、前記砂充填手段における開閉式のルーバーゲートを閉じる工程と、前記砂充填手段における砂供給口開閉手段を開き、砂供給口から前記砂ホッパ内に前記鋳物砂を供給する工程と、前記他方のパターンキャリアの上方に配置された盛枠と前記他方のパターンキャリアとの間位置に空の鋳枠を搬入する工程と、前記他方のパターンキャリア上に空の鋳枠及び盛枠を載置する工程と、前記鋳枠搬入出機構を開く工程と、を有し、前記造型空間に砂充填手段により鋳物砂を充填する工程が、前記砂充填手段における砂供給口開閉手段を閉じる工程と、前記砂充填手段における砂ホッパの内面に取り付けられたエヤー噴出チャンバーからエヤーを噴出させる工程と、前記砂充填手段における開閉式のルーバーゲートを開く工程と、を有することを特徴とする。
【００１１】
さらに本発明の鋳型造型方法は、パターンプレートを載置すると共に該パターンプレートの外周を包囲して上下動する枠状フレームを設けた二つのパターンキャリアのうち、一方の前記パターンキャリアは基台に装着された昇降シリンダに連結されたテーブル上方に配置され、且つ、他方の前記パターンキャリアは前記基台の外側に配置され、前記二つのパターンキャリアは、回転可能なターンテーブルの両端部に載置された鋳型造型装置を用いて鋳型を造型する鋳型造型方法であって、前記パターンプレートを載置すると共に該パターンプレートの外周を包囲して上下動する枠状フレームを設けた二つの前記パターンキャリアのうち、一方の前記パターンキャリアは前記テーブル上方に配置され、且つ、他方の前記パターンキャリアは前記基台の外側に配置され、さらに前記一方のパターンキャリア上には空の前記鋳枠及び盛枠が載置され、且つ、前記他方のパターンキャリア上には前記鋳物砂が充填された前記鋳枠及び盛枠が載置された状態で、前記一方のパターンキャリア、空の鋳枠及び盛枠を前記基台の外側に搬出し、且つ、前記他方のパターンキャリア、鋳物砂が充填された鋳枠及び盛枠を前記テーブル上方に搬入する工程と、前記他方のパターンキャリア、鋳物砂が充填された鋳枠及び盛枠を上昇させる工程と、前記他方のパターンキャリアにおける枠状フレームの上面を前記パターンプレートの見切面より突出させた状態にする工程と、前記砂ホッパの下面を前記基台の外側に搬出された盛枠の上面に当接させて、前記一方のパターンキャリアに載置されたパターンプレート、空の鋳枠及び盛枠により造型空間を形成する工程と、前記他方のパターンキャリア、鋳物砂が充填された鋳枠及び盛枠をさらに上昇させて前記鋳物砂を一次スクイズする工程と、鋳枠搬入出機構を閉じる工程と、前記他方のパターンキャリアにおける枠状フレームの上面と前記パターンプレートの見切面が同一高さになるまで該パターンプレートを上昇させて前記鋳物砂を二次スクイズする工程と、前記造型空間に砂充填手段により鋳物砂を充填する工程と、前記二次スクイズにおける前記パターンプレートの上昇終了後、前記他方のパターンキャリア、鋳物砂が充填された鋳枠及び盛枠をさらに上昇させて前記鋳物砂を三次スクイズする工程と、前記他方のパターンキャリアにおける前記パターンプレートを下降させて抜型する工程と、前記砂ホッパを前記基台の外側に搬出された盛枠から離反させる工程と、前記他方のパターンキャリアを下降させる工程と、前記砂充填手段における開閉式のルーバーゲートを閉じる工程と、前記砂充填手段における砂供給口開閉手段を開き、砂供給口から前記砂ホッパ内に前記鋳物砂を供給する工程と、前記他方のパターンキャリアの上方に配置された盛枠と前記他方のパターンキャリアとの間位置に空の鋳枠を搬入する工程と、前記他方のパターンキャリア上に空の鋳枠及び盛枠を載置する工程と、前記鋳枠搬入出機構を開く工程と、を有し、前記造型空間に砂充填手段により鋳物砂を充填する工程が、前記砂充填手段における砂供給口開閉手段を閉じる工程と、前記砂充填手段における砂ホッパの内面に取り付けられたエヤー噴出チャンバーからエヤーを噴出させる工程と、前記砂充填手段における開閉式のルーバーゲートを開く工程と、を有することを特徴とする。
【００１２】
さらに本発明の鋳型造型方法は、前記造型空間に前記砂充填手段により鋳物砂を充填する
工程の後に、前記砂充填手段に連通された給気バルブを開くことにより、前記造型空間内
の鋳物砂に圧縮空気を貫流させて前記造型空間内の鋳物砂を予備圧縮することを特徴とす
る。
【発明の効果】
【００１３】
本発明は、パターンプレートを載置すると共に該パターンプレートの外周を包囲して上下動する枠状フレームを設けた二つのパターンキャリアのうち、一方の前記パターンキャリアは基台に装着された昇降シリンダに連結されたテーブル上方に配置され、且つ、他方の前記パターンキャリアは前記基台の外側に配置され、前記二つのパターンキャリアは、回転可能なターンテーブルの両端部に載置された鋳型造型装置を用いて鋳型を造型する鋳型造型方法であって、前記パターンプレートを載置すると共に該パターンプレートの外周を包囲して上下動する枠状フレームを設けた二つの前記パターンキャリアのうち、一方の前記パターンキャリアは前記テーブル上方に配置され、且つ、他方の前記パターンキャリアは前記基台の外側に配置され、さらに前記一方のパターンキャリア上には空の前記鋳枠及び盛枠が載置され、且つ、前記他方のパターンキャリア上には前記鋳物砂が充填された前記鋳枠及び盛枠が載置された状態で、前記一方のパターンキャリア、空の鋳枠及び盛枠を前記基台の外側に搬出し、且つ、前記他方のパターンキャリア、鋳物砂が充填された鋳枠及び盛枠を前記テーブル上方に搬入する工程と、前記他方のパターンキャリア、鋳物砂が充填された鋳枠及び盛枠を上昇させる工程と、前記他方のパターンキャリアにおける枠状フレームの上面を前記パターンプレートの見切面より突出させた状態にする工程と、前記砂ホッパの下面を前記基台の外側に搬出された盛枠の上面に当接させて、前記一方のパターンキャリアに載置されたパターンプレート、空の鋳枠及び盛枠により造型空間を形成する工程と、スクイズ手段におけるスクイズ部材を下降させて前記鋳物砂を一次スクイズする工程と、鋳枠搬入出機構を閉じる工程と、前記他方のパターンキャリアにおける枠状フレームの上面と前記パターンプレートの見切面が同一高さになるまで該パターンプレートを上昇させながら前記スクイズ部材を下降させて前記鋳物砂を二次スクイズする工程と、前記造型空間に砂充填手段により鋳物砂を充填する工程と、前記二次スクイズにおける前記パターンプレートの上昇終了後、前記スクイズ部材をさらに下降させて前記鋳物砂を三次スクイズする工程と、前記他方のパターンキャリアにおける前記パターンプレートを下降させて抜型する工程と、前記砂ホッパを前記基台の外側に搬出された盛枠から離反させる工程と、前記他方のパターンキャリアを下降させる工程と、前記砂充填手段における開閉式のルーバーゲートを閉じる工程と、前記砂充填手段における砂供給口開閉手段を開き、砂供給口から前記砂ホッパ内に前記鋳物砂を供給する工程と、前記他方のパターンキャリアの上方に配置された盛枠と前記他方のパターンキャリアとの間位置に空の鋳枠を搬入する工程と、前記他方のパターンキャリア上に空の鋳枠及び盛枠を載置する工程と、前記鋳枠搬入出機構を開く工程と、を有し、前記造型空間に砂充填手段により鋳物砂を充填する工程が、前記砂充填手段における砂供給口開閉手段を閉じる工程と、前記砂充填手段における砂ホッパの内面に取り付けられたエヤー噴出チャンバーからエヤーを噴出させる工程と、前記砂充填手段における開閉式のルーバーゲートを開く工程と、を有するようにしたから、砂ホッパの内壁面への砂付着を防止することができる等種々の効果がある。
【図面の簡単な説明】
【００１４】
【図１】本発明の実施形態を示す側面断面図であって、テーブル上方のパターンキャリア上には空の鋳枠及び盛枠が載置され、且つ、基台の外側のパターンキャリア上には鋳物砂が充填された鋳枠及び盛枠が載置された状態を示す図である。
【図２】ターンテーブルを回転させることにより、空の鋳枠及び盛枠を基台の外側に搬出し、且つ、鋳物砂が充填された鋳枠及び盛枠をテーブル上方に搬入した状態を示す側面断面図である。
【図３】テーブル側において鋳枠、盛枠及び枠状フレームを上昇させ、基台の外側において造型空間を形成した状態を示す側面断面図である。
【図４】テーブル側において鋳物砂を一次スクイズし、鋳枠搬入出コンベヤを閉じた状態を示す側面断面図である。
【図５】テーブル側において鋳物砂を二次スクイズし、基台の外側において造型空間に鋳物砂が充填された状態を示す側面断面図である。
【図６】テーブル側において鋳物砂を三次スクイズした状態を示す側面断面図である。
【図７】テーブル側において抜型がなされ、基台の外側においてパターンキャリア、鋳枠及び盛枠を下降させた状態を示す側面断面図である。
【図８】テーブル側において鋳枠をローラ上に載置し、基台の外側において砂ホッパ内に鋳物砂を供給した状態を示す側面断面図である。
【図９】テーブル側においてパターンキャリア上に空の鋳枠及び盛枠を載置し、鋳枠搬入出コンベヤを開いた状態を示す側面断面図である。
【図１０】図１における砂充填手段の拡大断面図である。
【図１１】本発明の第２実施形態を示す側面断面図であって、テーブル上方のパターンキャリア上には空の鋳枠及び盛枠が載置され、且つ、基台の外側のパターンキャリア上には鋳物砂が充填された鋳枠及び盛枠が載置された状態を示す図である。
【図１２】ターンテーブルを回転させることにより、空の鋳枠及び盛枠を基台の外側に搬出し、且つ、鋳物砂が充填された鋳枠及び盛枠をテーブル上方に搬入した状態を示す側面断面図である。
【図１３】テーブル側において鋳枠、盛枠及び枠状フレームを上昇させ、基台の外側において造型空間を形成した状態を示す側面断面図である。
【図１４】テーブル側において鋳物砂を一次スクイズし、鋳枠搬入出コンベヤを閉じた状態を示す側面断面図である。
【図１５】テーブル側において鋳物砂を二次スクイズし、基台の外側において造型空間に鋳物砂が充填された状態を示す側面断面図である。
【図１６】テーブル側において鋳物砂を三次スクイズした状態を示す側面断面図である。
【図１７】テーブル側において抜型がなされ、基台の外側においてパターンキャリア、鋳枠及び盛枠を下降させた状態を示す側面断面図である。
【図１８】テーブル側において鋳枠をローラ上に載置し、基台の外側において砂ホッパ内に鋳物砂を供給した状態を示す側面断面図である。
【図１９】テーブル側において盛枠を上昇させ、且つ、多数のシリンダを全て中間位置で停止させた状態を示す側面断面図である。
【図２０】テーブル側においてパターンキャリア上に空の鋳枠及び盛枠を載置した状態を示す側面断面図である。
【図２１】第２実施形態におけるスクイズ手段を示す拡大詳細断面図である。
【図２２】第２実施形態におけるスクイズ手段の作動の一例を説明するための拡大詳細断面図である。
【発明を実施するための形態】
【００１５】
以下、本発明の実施の形態を図面に基づいて詳しく説明する。図１において、基台１の中
央上部には昇降シリンダ２（本実施形態では油圧シリンダ）が装着されており、該昇降シ
リンダ２の先端にはテーブル３が連結されている。そして、前記昇降シリンダ２の両外側
にはガイドロッド４が配設されており、該ガイドロッド４は前記基台１上に装着されたホ
ルダ５内を上下摺動可能に貫通されている。なお該ガイドロッド４の先端は前記テーブル
３に連結されている。
【００１６】
そして、前記基台１上の左右両側（図１参照）には支柱６が立設されており、該支柱６の
上端間には上部フレーム７が架設されている。そして、前記支柱６のうちの一方（図１で
左側）下位にはターンテーブル８の中心部が水平平面内で回転可能にして支持されており
、該ターンテーブル８の主軸は前記図１で左側の支柱６が兼用している。そして、該ター
ンテーブル８には図示されない支持部材が付属されており、該ターンテーブル８の両端部
には該図示されない支持部材を介してパターンキャリア９、９Ａが載置されている。なお
該ターンテーブル８は図示されないアクチュエータにより回転されるようになっており、
アクチュエータとしては、例えば、油圧シリンダ等が挙げられる。また前記パターンキャ
リア９、９Ａは、前記テーブル３が下降端の状態で前記ターンテーブル８が回転すること
により前記テーブル３の上方に搬入出される。
【００１７】
また前記パターンキャリア９、９Ａ上にはパターンプレート１０、１０Ａが載置されてお
り、該パターンキャリア９、９Ａには該パターンプレート１０、１０Ａの外周を包囲して
上下動する枠状フレーム１１が設けられている。また前記パターンキャリア９、９Ａ上に
は、鋳枠Ｗ及び盛枠１７が載置されている。
【００１８】
また前記テーブル３には複数（本実施形態では４個）の枠状フレーム昇降シリンダ１２（
本実施形態では油圧シリンダ）が装着されており、該枠状フレーム昇降シリンダ１２の先
端にはロッドヘッド１３が連結されている。また前記枠状フレーム１１の下面には複数（
本実施形態では４個）の吊設ロッド１４が吊設されている。なお前記枠状フレーム１１は
、前記枠状フレーム昇降シリンダ１２の伸縮作動により前記吊設ロッド１４を介して上下
動するようになっている。また前記テーブル３には前記パターンキャリア９、９Ａをクラ
ンプする図示されないクランプ装置が装着されている。これにより、前記テーブル３の下
降端ではクランプが解除され、前記テーブル３が上昇すると該テーブル３に前記パターン
キャリア９、９Ａがクランプされるようになっている。
【００１９】
また前記支柱６の内側には、前記パターンキャリア９、９Ａの上方に鋳枠Ｗを搬入出させ
る鋳枠搬入出機構としての開閉可能な鋳枠搬入出コンベヤ１５が配設されている。該鋳枠
搬入出コンベヤ１５は、上端がフレーム１５ａに回動可能に連結されたアーム１５ｂと、
該アーム１５ｂの先端（下端）に装着されたローラ１５ｃと、前記アーム１５ｂの垂直方
向の途中位置に固定された盛枠載置部材１５ｄと、で構成されている。
【００２０】
そして、該盛枠載置部材１５ｄの上部には複数（本実施形態では４個）の位置決めピン１
６が固定されている。なお前記盛枠１７が前記盛枠載置部材１５ｄ上に載置された際、前
記盛枠載置部材１５ｄと前記盛枠１７は該位置決めピン１６により位置決めされるように
なっている。
【００２１】
また前記鋳枠搬入出コンベヤ１５は吊設部材１８を介して昇降フレーム１９に吊設され
ており、該昇降フレーム１９は図示されない鋳枠搬入出機構昇降シリンダにより昇降する
ようになっている。
【００２２】
また前記鋳枠搬入出コンベヤ１５の内側にはスクイズ手段２０が配設されている。該スク
イズ手段２０は多数のシリンダ（本実施形態では油圧シリンダ）２０ａと、該シリンダ２
０ａの先端に連結されたスクイズ部材としてのスクイズフット２０ｂと、該シリンダ２０
ａを支持する支持体２０ｃと、で構成されている。なお該支持体２０ｃは前記上部フレー
ム７の中央下部に固定されている。
【００２３】
また前記基台１の外側における前記パターンキャリア９Ａの下方には、パターンキャリア
昇降手段２１が配設されている。ここで該パターンキャリア昇降手段２１について詳述す
る。架台２１ａの中央上部にはパターンキャリア昇降シリンダ２１ｂ（本実施形態では油
圧シリンダ）が装着されており、該パターンキャリア昇降シリンダ２１ｂの先端には駆動
ローラコンベヤ２１ｃが連結されている。そして、前記パターンキャリア昇降シリンダ２
１ｂの両外側にはガイドロッド２１ｄが配設されており、該ガイドロッド２１ｄは前記架
台２１ａ上に装着されたホルダ２１ｅ内を上下摺動可能に貫通されている。なお該ガイド
ロッド２１ｄの先端は前記駆動ローラコンベヤ２１ｃに連結されている。また前記駆動ロ
ーラコンベヤ２１ｃには前記パターンキャリア９、９Ａをクランプする図示されないクラ
ンプ装置が装着されている。これにより、前記駆動ローラコンベヤ２１ｃの下降端ではク
ランプが解除され、前記駆動ローラコンベヤ２１ｃが上昇すると該駆動ローラコンベヤ２
１ｃに前記パターンキャリア９、９Ａがクランプされるようになっている。
【００２４】
なお前記パターンキャリア９、９Ａを別のパターンキャリアに交換する際は、後述する砂
ホッパ２２ａに取り付けられた図示されないクランプ手段で前記基台１の外側における前
記鋳枠Ｗ及び盛枠１７をクランプする。そして、前記パターンキャリア昇降シリンダ２１
ｂを作動させ、前記パターンキャリア９、９Ａだけを所定高さにする。そして、前記パタ
ーンキャリア９、９Ａをクランプする前記図示されないクランプ装置によるクランプを解
除する。そして、前記駆動ローラコンベヤ２１ｃを作動させることにより、該駆動ローラ
コンベヤ２１ｃ上のパターンキャリア９、９Ａを搬出し、別のパターンキャリアを搬入す
る。
【００２５】
また前記基台１の外側における前記鋳枠Ｗ及び盛枠１７の上方には砂充填手段２２が配設
されており、該砂充填手段２２は支持フレーム２３に固定されている。ここで該砂充填手
段２２について詳述する。図１０に示すように、内部に鋳物砂Ｓを貯留する砂ホッパ２２
ａの下位内部には開閉式のルーバーゲート２４が配設されており、該開閉式のルーバーゲ
ート２４は、一端が回動軸２４ａに固定されたゲート板２４ｂが水平方向に複数配置され
た構成にされている。また前記砂ホッパ２２ａの外面における前記開閉式のルーバーゲー
ト２４と前記砂ホッパ２２ａの下面との間位置には図示されない離型剤噴霧手段が取り付
けられている。
【００２６】
また前記砂ホッパ２２ａの上部には砂供給口開閉手段２５が配設されている。ここで該砂
供給口開閉手段２５について詳述する。前記砂ホッパ２２ａに連通するケーシング２５ａ
の天井部には、前記砂ホッパ２２ａ内へ前記鋳物砂Ｓを供給するための開口部である砂供
給口２５ｂが設けられており、前記ケーシング２５ａの内部には水平に移動することによ
り該砂供給口２５ｂを開閉させるゲート部材２５ｃが配設されている。そして、前記ケー
シング２５ａの一端側面には該ゲート部材２５ｃを水平に移動させる開閉シリンダ２５ｄ
が装着されており、該開閉シリンダ２５ｄの先端には前記ゲート部材２５ｃが連結されて
いる。
【００２７】
また前記砂ホッパ２２ａの内面には全周に亘ってエヤー噴出チャンバー２６が取り付けら
れており、該エヤー噴出チャンバー２６は、中空室２６ａと、該中空室２６ａの先端に配
設された多孔質体２６ｂと、で構成されている。なお前記中空室２６ａには図示されない
切り替え弁が連通されており、該切り替え弁を開くと、圧縮エヤーが前記中空室２６ａを
通って前記多孔質体２６ｂから噴出されるようになっている。また前記多孔質体２６ｂは
、本実施形態では超高分子量ポリエチレンを焼結させて製作されている。
【００２８】
また前記砂供給口開閉手段２５におけるケーシング２５ａには配管２７を介して給気バル
ブ２８が連通されており、該給気バルブ２８は図示されない圧縮空気源に連通されている
。なお符号２９は前記ケーシング２５ａの天井部に取り付けられた砂投入シュートである
。
【００２９】
このように構成されたものの作動について説明する。図１は、二つのパターンキャリア９
、９Ａのうち、一方のパターンキャリア９（以下、下鋳枠用パターンキャリアという）は
テーブル３上方に配置され、且つ、他方のパターンキャリア９Ａ（以下、上鋳枠用パター
ンキャリアという）は基台１の外側に配置され、さらに前記下鋳枠用パターンキャリア９
上には空の鋳枠Ｗ及び盛枠１７が載置され、且つ、前記上鋳枠用パターンキャリア９Ａ上
には鋳物砂Ｓが充填された鋳枠Ｗ及び盛枠１７が載置された状態である。なお本発明にお
ける鋳物砂Ｓとしては、例えば、生砂、セラミックス製の人工砂などが挙げられる。
【００３０】
この状態でターンテーブル８を回転させることにより、下鋳枠用パターンキャリア９、空
の鋳枠Ｗ及び盛枠１７を基台１の外側に搬出し、且つ、上鋳枠用パターンキャリア９Ａ、
鋳物砂Ｓが充填された鋳枠Ｗ及び盛枠１７をテーブル３上方に搬入し、図２の状態にされ
る。次に、昇降シリンダ２を伸長作動させることにより、テーブル３を介して上鋳枠用パ
ターンキャリア９Ａ、鋳物砂Ｓが充填された鋳枠Ｗ及び盛枠１７を上昇させる。そして、
枠状フレーム昇降シリンダ１２を伸長作動させることにより、上鋳枠用パターンキャリア
９Ａにおける枠状フレーム１１の上面をパターンプレート１０Ａの見切面より突出させた
状態（本実施形態では３０ｍｍ）にする。
【００３１】
また基台１の外側では、パターンキャリア昇降シリンダ２１ｂを伸長作動させることによ
り下鋳枠用パターンキャリア９、空の鋳枠Ｗ及び盛枠１７を上昇させる。これにより砂ホ
ッパ２２ａの下面を基台１の外側に搬出された盛枠１７の上面に当接させて、下鋳枠用パ
ターンキャリア９に載置されたパターンプレート１０、空の鋳枠Ｗ及び盛枠１７により造
型空間を形成し、図３の状態にされる。その後、前記図示されない離型剤噴霧手段により
、該造型空間に離型剤が噴霧される。なお上部フレーム７の下面には盛枠１７の上昇を阻
止する図示されないストッパ部材が取り付けられており、図３の状態では、基台１側の盛
枠１７の上面は該ストッパ部材の下面に当接されている。
【００３２】
次に、多数のシリンダ２０ａを伸長作動させることにより、前記スクイズフット２０ｂを
下降させて鋳物砂Ｓを一次スクイズする。そして、図示されない開閉手段（例えば、シリ
ンダ）により鋳枠搬入出コンベヤ１５を閉じ、図４の状態にされる。
【００３３】
次に、昇降シリンダ２を伸長作動させることにより、上鋳枠用パターンキャリア９Ａにお
ける枠状フレーム１１の上面とパターンプレート１０Ａの見切面が同一高さになるまで該
パターンプレート１０Ａを上昇させながら、スクイズフット２０ｂをさらに下降させて鋳
物砂Ｓを二次スクイズする。この際、鋳枠Ｗ及び盛枠１７が枠状フレーム１１と前記図示
されないストッパ部材で挟持された状態は維持している。即ち、枠状フレーム１１、鋳枠
Ｗ及び盛枠１７は垂直方向には動かない。
【００３４】
また基台１の外側では、前記造型空間に砂充填手段２２により鋳物砂Ｓを充填する。この
点につき、詳述する。まず、砂供給口開閉手段２５における開閉シリンダ２５ｄを伸長作
動させることにより、ゲート部材２５ｃで砂供給口２５ｂを閉じる。そして、前記図示さ
れない切り替え弁を開くと、圧縮エヤーが中空室２６ａを通って多孔質体２６ｂから噴出
される。そして、開閉式のルーバーゲート２４における複数の回動軸２４ａを図示されな
いゲート開閉シリンダにより正回動させ、複数のゲート板２４ｂを水平状態から垂直状態
にさせる（ルーバーゲート２４開き）。そうすると、砂ホッパ２２ａ内の鋳物砂Ｓが前記
造型空間に充填され、図５の状態にされる。なお前記造型空間へ鋳物砂Ｓを充填している
間、多孔質体２６ｂからの圧縮エヤーの噴出は続けられ、該圧縮エヤーはパターンプレー
ト１０に設けられた図示されないベントホール、もしくは、盛枠１７の側面に設けられた
図示されないベントホールを通って排気される。
【００３５】
次に、前記二次スクイズにおけるパターンプレート１０Ａの上昇終了後、スクイズフット
２０ｂをさらに下降させて鋳物砂Ｓを三次スクイズし、図６の状態にされる。また基台１
の外側では、給気バルブ２８を開くことにより、前記造型空間内の鋳物砂Ｓに圧縮空気を
貫流させて前記造型空間内の鋳物砂Ｓを予備圧縮する（いわゆる、流気加圧による鋳物砂
Ｓの予備圧縮）。その後、ケーシング２５ａに連通された図示されない排気弁を開き、砂
ホッパ２２ａ内に残存する圧縮空気を排気する。
【００３６】
次に、上鋳枠用パターンキャリア９Ａにおけるパターンプレート１０Ａを下降させて抜型
する。この際、鋳枠Ｗ及び盛枠１７が枠状フレーム１１と前記図示されないストッパ部材
で挟持された状態は維持している。即ち、枠状フレーム１１、鋳枠Ｗ及び盛枠１７は垂直
方向には動かない。このため、該パターンプレート１０Ａが所定高さ（本実施形態では３
０ｍｍ）だけ下降することにより、該抜型がなされる。
【００３７】
また基台１の外側では、パターンキャリア昇降シリンダ２１ｂを収縮作動させることによ
り、下鋳枠用パターンキャリア９、鋳枠Ｗ及び盛枠１７を下降させる。これにより、該盛
枠１７の上面と砂ホッパ２２ａの下面を離反させ、図７の状態にされる。
【００３８】
次に、昇降シリンダ２を収縮作動させることにより、上鋳枠用パターンキャリア９Ａ、鋳
枠Ｗ及び盛枠１７を下降させる。そうすると、鋳枠Ｗはローラ１５ｃ上に載置され、盛枠
１７は盛枠載置部材１５ｄ上に載置されて位置決めピン１６により位置決めされる。この
際、盛枠１７の下降に伴い、前記図示されないストッパ部材の下面と盛枠１７上面は離反
する。
【００３９】
次に、多数のシリンダ２０ａを収縮作動させ、前記スクイズフット２０ｂを上昇させる。
そして、テーブル３の下降端で枠状フレーム昇降シリンダ１２を収縮作動させることによ
り、枠状フレーム１１を下降させる。
【００４０】
また基台１の外側では、開閉式のルーバーゲート２４における複数の回動軸２４ａを図示
されないゲート開閉シリンダにより逆回動させ、複数のゲート板２４ｂを垂直状態から水
平状態にさせる（ルーバーゲート２４閉じ）。そして、砂供給口開閉手段２５における開
閉シリンダ２５ｄを収縮作動させることにより、砂供給口２５ｂを開く。その後、図示さ
れない鋳物砂供給手段（例えば、ベルトフィーダ）により、砂供給口２５ｂを介して砂ホ
ッパ２２ａ内に鋳物砂Ｓを供給し、図８の状態にされる。
【００４１】
次に、鋳枠搬入出コンベヤ１５により、造型された鋳枠Ｗが搬出され、且つ、盛枠１７と
上鋳枠用パターンキャリア９Ａとの間位置に空の鋳枠Ｗが搬入される。そして、前記図示
されない鋳枠搬入出機構昇降シリンダにより、鋳枠搬入出コンベヤ１５を下降させ、上鋳
枠用パターンキャリア９Ａ上に空の鋳枠Ｗ及び盛枠１７を載置する。その後、前記図示さ
れない開閉手段により鋳枠搬入出コンベヤ１５を開き、図９の状態にされる。次に、前記
図示されない鋳枠搬入出機構昇降シリンダにより、鋳枠搬入出コンベヤ１５を上昇させ、
図１の状態にされる。そして、上記の作動が繰り返される。
【００４２】
なお本発明では、開閉式のルーバーゲート２４を備えた砂ホッパ２２ａにおいて、砂供給
口２５ｂを閉じて砂ホッパ２２ａを密閉した状態で、砂ホッパ２２ａの内面に取り付けら
れたエヤー噴出チャンバー２６から圧縮エヤーが噴出されるようになっている。このため
、砂ホッパ２２ａの内壁面への砂付着を防止することができる。また、砂ホッパ２２ａの
上端が開放ではなく、砂ホッパ２２ａを密閉した状態でエヤー噴出チャンバー２６から圧
縮エヤーが噴出されるから、使用エヤーの消費量を削減することができる。また開閉式の
ルーバーゲート２４を開くと鋳物砂Ｓが前記造型空間に充填されるが、この際、エヤー噴
出チャンバー２６から噴出される圧縮エヤーにより、該鋳物砂Ｓが予備的に圧縮されると
いう効果もある。
【００４３】
また本発明では、砂充填手段２２が基台１の外側に配設され、且つ、スクイズ手段２０が
基台１側（詳しくは鋳枠搬入出機構の内側）に配設されているため、砂充填手段２２及び
スクイズ手段２０を走行させる必要がない。このため、該砂充填手段２２及びスクイズ手
段２０を走行させる機構も不要であり、これにより装置の構造をシンプルにすることがで
きる。
【００４４】
なお本発明の実施形態では、基台１の外側において、パターンキャリア昇降手段２１によ
りパターンキャリア（図１では９Ａ）、鋳枠Ｗ及び盛枠１７を昇降させるようにしたが、
これに限定されるものではなく、該パターンキャリア、鋳枠Ｗ及び盛枠１７を昇降させず
に、砂充填手段２２を昇降させるようにしてもよい。この場合、砂充填手段２２を下降さ
せることにより砂ホッパ２２ａの下面を基台１の外側に搬出された盛枠１７の上面に当接
させて、前記造型空間を形成することになる。なお砂充填手段２２を昇降させるには、例
えば、砂充填手段２２に昇降シリンダを連結すればよい。
【００４５】
また本発明の実施形態では、スクイズ部材として多数のスクイズフット２０ｂを用いたが
、これに限定されるものではなく、スクイズ部材として例えば、平板状で１枚のスクイズ
板を用いるようにしてもよい。なお、この場合、該スクイズ板を昇降させるシリンダは、
１本でも複数本でもどちらでもよい。
【００４６】
さらに本発明の実施形態では、多孔質体２６ｂとして、超高分子量ポリエチレンを焼結さ
せて製作したものを示したが、これに限定されるものではなく、該多孔質体２６ｂは、板
状材料に多数の孔（例えば、φ１ｍｍ〜φ２ｍｍの丸孔）を穿孔させたものであってもよ
い。
【００４７】
さらに本発明の実施形態では、開閉可能な鋳枠搬入出コンベヤ１５を昇降させるようにし
ているが、これに限定されるものではなく、該鋳枠搬入出コンベヤ１５は、昇降させずに
上部フレーム７に固定するようにしてもよい。ただし、上述の実施形態のように該鋳枠搬
入出コンベヤ１５を昇降させる構成にすると、鋳枠搬入出コンベヤ１５のローラ１５ｃ上
に空の鋳枠Ｗが搬入された後、すぐに鋳枠搬入出コンベヤ１５を下降させてパターンキャ
リア９、９Ａ上に空の鋳枠Ｗ及び盛枠１７を載置することができる。これにより、鋳型造
型装置のサイクルタイムを短縮することができるため、好ましい。
【００４８】
さらに本発明の実施形態では、前記造型空間に砂充填手段２２により鋳物砂Ｓを充填する
工程の後に、砂充填手段２２に連通された給気バルブ２８を開くことにより、前記流気加
圧による鋳物砂Ｓの予備圧縮を行うようにしたが、該流気加圧による鋳物砂Ｓの予備圧縮
は必須のものではなく、省略してもよい。ただし、該流気加圧による鋳物砂Ｓの予備圧縮
を行うと、パターンプレート１０、１０Ａ付近の鋳物砂Ｓの充填密度が向上するため好ま
しい。
【００４９】
次に上述の実施形態（以下、第１実施形態という）とは別の実施形態を第２実施形態として説明する。最初に第１実施形態との構成の相違点について説明する。第２実施形態では、図１１に示すように、鋳枠搬入出機構としての開閉可能な鋳枠搬入出コンベヤ１０１におけるアーム１０１ａの下位部には、複数の盛枠昇降シリンダ１０１ｂが装着されており、該盛枠昇降シリンダ１０１ｂの先端には盛枠載置部材１０１ｃが連結されている。そして、該盛枠載置部材１０１ｃの上部には複数（本実施形態では４個）の位置決めピン１０１ｄが固定されている。なお盛枠１０２が前記盛枠載置部材１０１ｃ上に載置された際、前記盛枠載置部材１０１ｃと前記盛枠１０２は該位置決めピン１０１ｄにより位置決めされるようになっている。また前記アーム１０１ａは、上端が上部フレーム７の下端に回動可能に連結されており、第２実施形態では前記鋳枠搬入出コンベヤ１０１は昇降しないようになっている。
【００５０】
また前記盛枠１０２の両端上方には複数の下向きシリンダ１０３が配設されており、該下向きシリンダ１０３は前記上部フレーム７に装着されている。そして、該下向きシリンダ１０３の先端にはヘッド部材１０４が連結されている。
【００５１】
また前記鋳枠搬入出コンベヤ１０１の内側にはスクイズ手段１０５が配設されている。該スクイズ手段１０５は両ロッド形の多数のシリンダ（本実施形態では油圧シリンダ）１０５ａと、該シリンダ１０５ａの先端に連結されたスクイズ部材としてのスクイズフット１０５ｂと、該シリンダ１０５ａを支持する支持体１０５ｃと、で構成されている。なお該支持体１０５ｃは前記上部フレーム７に固定されている。また図２１に示すように、前記両ロッド形の多数のシリンダ１０５ａは、上部油圧室１０５ｄ同士が各々、上部連通路１０５ｅを介して連通されており、下部油圧室１０５ｆ同士が各々、下部連通路１０５ｇを介して連通されている。
【００５２】
また前記スクイズ手段１０５の上方には、前記多数のシリンダ１０５ａのピストンロッド１０５ｈの高さ位置を決めるロッド高さ位置決め手段１０６が配設されている。該ロッド高さ位置決め手段１０６は、前記上部フレーム７の上端に装着された位置決め部材昇降シリンダ１０６ａと、該位置決め部材昇降シリンダ１０６ａの先端に連結された平板状の位置決め部材１０６ｂと、で構成されている。なお該位置決め部材１０６ｂと前記ピストンロッド１０５ｈは連結されていない。
【００５３】
また前記盛枠１０２の両端には、前記下向きシリンダ１０３の先端のヘッド部材１０４に当接可能な当接部材１０２ａが付属されている。また第１実施形態では、前記砂ホッパ２２ａ内面のエヤー噴出チャンバー２６は、前記開閉式のルーバーゲート２４の上方までしか取り付けられていないが、第２実施形態では、該エヤー噴出チャンバー２６は、前記開閉式のルーバーゲート２４の下方まで取り付けられている。
【００５４】
以上の点が第１実施形態との構成の相違点である。これ以外は第１実施形態と同じ構成である。なお第１実施形態と同じ構成要素については、同一の符号で示してその説明を省略することとする。
【００５５】
このように構成された第２実施形態の作動について説明する。図１１は、二つのパターンキャリア９、９Ａのうち、一方のパターンキャリア９（以下、下鋳枠用パターンキャリアという）はテーブル３上方に配置され、且つ、他方のパターンキャリア９Ａ（以下、上鋳枠用パターンキャリアという）は基台１の外側に配置され、さらに前記下鋳枠用パターンキャリア９上には空の鋳枠Ｗ及び盛枠１０２が載置され、且つ、前記上鋳枠用パターンキャリア９Ａ上には鋳物砂Ｓが充填された鋳枠Ｗ及び盛枠１０２が載置された状態である。
【００５６】
なお図１１では、スクイズ手段１０５における多数のシリンダ１０５ａは全て、全ストロークの半分の位置、即ち、中間位置で停止されている。この点につき、詳述すると、まずロッド高さ位置決め手段１０６の位置決め部材昇降シリンダ１０６ａにより位置決め部材１０６ｂを下降端まで下降させておく。その後、ピストンロッド１０５ｈの上面が位置決め部材１０６ｂの下面に当接するまで多数のシリンダ１０５ａを上昇させる。このようにして多数のシリンダ１０５ａを全て、中間位置で停止させる。
【００５７】
この状態でターンテーブル８を回転させることにより、下鋳枠用パターンキャリア９、空の鋳枠Ｗ及び盛枠１０２を基台１の外側に搬出し、且つ、上鋳枠用パターンキャリア９Ａ、鋳物砂Ｓが充填された鋳枠Ｗ及び盛枠１０２をテーブル３上方に搬入し、図１２の状態にされる。次に、昇降シリンダ２を伸長作動させることにより、テーブル３を介して上鋳枠用パターンキャリア９Ａ、鋳物砂Ｓが充填された鋳枠Ｗ及び盛枠１０２を上昇させる。そして、枠状フレーム昇降シリンダ１２を伸長作動させることにより、上鋳枠用パターンキャリア９Ａにおける枠状フレーム１１の上面をパターンプレート１０Ａの見切面より突出させた状態（本実施形態では３０ｍｍ）にする。そして、位置決め部材昇降シリンダ１０６ａを収縮作動させることにより、位置決め部材１０６ｂを上昇させ、ピストンロッド１０５ｈの上面と位置決め部材１０６ｂの下面を離反させる。
【００５８】
また基台１の外側では、パターンキャリア昇降シリンダ２１ｂを伸長作動させることにより下鋳枠用パターンキャリア９、空の鋳枠Ｗ及び盛枠１０２を上昇させる。これにより砂ホッパ２２ａの下面を基台１の外側に搬出された盛枠１０２の上面に当接させて、下鋳枠用パターンキャリア９に載置されたパターンプレート１０、空の鋳枠Ｗ及び盛枠１０２により造型空間を形成し、図１３の状態にされる。その後、図示されない離型剤噴霧手段により、該造型空間に離型剤が噴霧される。なお図１３の状態では、基台１側の盛枠１０２両端の当接部材１０２ａの上面は、下向きシリンダ１０３先端のヘッド部材１０４の下面に当接されている。
【００５９】
次に、昇降シリンダ２を伸長作動させることにより、テーブル３を介して上鋳枠用パターンキャリア９Ａ、鋳物砂Ｓが充填された鋳枠Ｗ及び盛枠１０２をさらに上昇させて鋳物砂Ｓを一次スクイズする。そして、図示されない開閉手段（例えば、シリンダ）により鋳枠搬入出コンベヤ１０１を閉じ、図１４の状態にされる。
【００６０】
次に、昇降シリンダ２を伸長作動させることにより、上鋳枠用パターンキャリア９Ａにおける枠状フレーム１１の上面とパターンプレート１０Ａの見切面が同一高さになるまで該パターンプレート１０Ａを上昇させて鋳物砂Ｓを二次スクイズする。この際、鋳枠Ｗ及び盛枠１０２が枠状フレーム１１とヘッド部材１０４で挟持された状態は維持している。
【００６１】
また基台１の外側では、前記造型空間に砂充填手段２２により鋳物砂Ｓを充填する。この点につき、詳述する。まず、砂供給口開閉手段２５における開閉シリンダ２５ｄを伸長作動させることにより、ゲート部材２５ｃで砂供給口２５ｂを閉じる。そして、図示されない切り替え弁を開くと、圧縮エヤーが中空室２６ａを通って多孔質体２６ｂから噴出される。そして、開閉式のルーバーゲート２４における複数の回動軸２４ａを図示されないゲート開閉シリンダにより正回動させ、複数のゲート板２４ｂを水平状態から垂直状態にさせる（ルーバーゲート２４開き）。そうすると、砂ホッパ２２ａ内の鋳物砂Ｓが前記造型空間に充填され、図１５の状態にされる。なお前記造型空間へ鋳物砂Ｓを充填している間、多孔質体２６ｂからの圧縮エヤーの噴出は続けられ、該圧縮エヤーはパターンプレート１０に設けられた図示されないベントホール、もしくは、盛枠１０２の側面に設けられた図示されないベントホールを通って排気される。
【００６２】
次に、前記二次スクイズにおけるパターンプレート１０Ａの上昇終了後、昇降シリンダ２をさらに伸長作動させることにより、テーブル３を介して上鋳枠用パターンキャリア９Ａ、鋳物砂Ｓが充填された鋳枠Ｗ及び盛枠１０２をさらに上昇させて鋳物砂Ｓを三次スクイズし、図１６の状態にされる。また基台１の外側では、給気バルブ２８を開くことにより、前記造型空間内の鋳物砂Ｓに圧縮空気を貫流させて前記造型空間内の鋳物砂Ｓを予備圧縮する（いわゆる、流気加圧による鋳物砂Ｓの予備圧縮）。その後、ケーシング２５ａに連通された図示されない排気弁を開き、砂ホッパ２２ａ内に残存する圧縮空気を排気する。
【００６３】
次に、上鋳枠用パターンキャリア９Ａにおけるパターンプレート１０Ａを下降させて抜型する。この際、鋳枠Ｗ及び盛枠１０２が枠状フレーム１１とヘッド部材１０４で挟持された状態は維持しており、該枠状フレーム１１、鋳枠Ｗ及び盛枠１０２は垂直方向には動かない。このため、該パターンプレート１０Ａが所定高さ（本実施形態では３０ｍｍ）だけ下降することにより、該抜型がなされる。
【００６４】
また基台１の外側では、パターンキャリア昇降シリンダ２１ｂを収縮作動させることにより、下鋳枠用パターンキャリア９、鋳枠Ｗ及び盛枠１０２を下降させる。これにより、該盛枠１０２の上面と砂ホッパ２２ａの下面を離反させ、図１７の状態にされる。
【００６５】
次に、昇降シリンダ２を収縮作動させることにより、上鋳枠用パターンキャリア９Ａ、鋳枠Ｗ及び盛枠１０２を下降させる。そうすると、鋳枠Ｗはローラ１０１ｅ上に載置される。この際、盛枠１０２の下降に伴い、下向きシリンダ１０３も伸長作動される。そして、テーブル３の下降端で枠状フレーム昇降シリンダ１２を収縮作動させることにより、枠状フレーム１１を下降させる。
【００６６】
また基台１の外側では、開閉式のルーバーゲート２４における複数の回動軸２４ａを図示されないゲート開閉シリンダにより逆回動させ、複数のゲート板２４ｂを垂直状態から水平状態にさせる（ルーバーゲート２４閉じ）。そして、砂供給口開閉手段２５における開
閉シリンダ２５ｄを収縮作動させることにより、砂供給口２５ｂを開く。その後、図示さ
れない鋳物砂供給手段（例えば、ベルトフィーダ）により、砂供給口２５ｂを介して砂ホ
ッパ２２ａ内に鋳物砂Ｓを供給し、図１８の状態にされる。
【００６７】
次に、盛枠昇降シリンダ１０１ｂを伸長作動させることにより、盛枠載置部材１０１ｃ及び位置決めピン１０１ｄを介して盛枠１０２を上昇させる。この際、盛枠１０２の上昇に伴い、下向きシリンダ１０３も収縮作動される。
【００６８】
次に、多数のシリンダ１０５ａを全て、ピストンロッド１０５ｈが下降するように作動させ、スクイズフット１０５ｂを全て下降端まで下降させる。その後、位置決め部材昇降シリンダ１０６ａを伸長作動させることにより、位置決め部材１０６ｂを下降端まで下降させる。その後、多数のシリンダ１０５ａを全て、ピストンロッド１０５ｈが上昇するように作動させ、全てのピストンロッド１０５ｈの上面を位置決め部材１０６ｂの下面に当接させる。このようにして多数のシリンダ１０５ａを全て、全ストロークの半分の位置、即ち、中間位置で停止させ、図１９の状態にされる。
【００６９】
次に、鋳枠搬入出コンベヤ１０１により、造型された鋳枠Ｗが搬出され、且つ、盛枠１０２と上鋳枠用パターンキャリア９Ａとの間位置に空の鋳枠Ｗが搬入される。その後、昇降シリンダ２を伸長作動させることにより、上鋳枠用パターンキャリア９Ａ上に空の鋳枠Ｗを載置し、該鋳枠Ｗをローラ１０１ｅ上から若干持ち上げる。そして、盛枠昇降シリンダ１０１ｂを収縮作動させることにより、盛枠１０２を下降させて空の鋳枠Ｗ上に載置し、図２０の状態にされる。この際、盛枠１０２の下降に伴い、下向きシリンダ１０３も伸長作動される。また位置決めピン１０１ｄによる盛枠載置部材１０１ｃと盛枠１０２の位置決めは解除される。
【００７０】
次に、図示されない開閉手段により鋳枠搬入出コンベヤ１０１を開く。その後、昇降シリンダ２を収縮作動させることにより、空の鋳枠Ｗ及び盛枠１０２を下降させ、図１１の状態にされる。そして、上記の作動が繰り返される。
【００７１】
なお第２実施形態では、上述した一次スクイズ、二次スクイズ及び三次スクイズの際、スクイズ手段１０５は次のような作動をする。図２２に示すように、スクイズフット１０５ｂが早く上方に押し上げられたシリンダ１０５ａの上部油圧室１０５ｄの油が、その近傍のシリンダ１０５ａの上部油圧室１０５ｄに流れ、該その近傍のシリンダ１０５ａのスクイズフット１０５ｂが押し下げられる。このような作動をすることにより、鋳型の背面を均一な圧力でスクイズすることができる。
【００７２】
また第２実施形態において、三次スクイズの際、もしくは、三次スクイズの後に、全てのシリンダ１０５ａの上部油圧室１０５ｄに油を供給し、該全てのシリンダ１０５ａのスクイズフット１０５ｂで鋳型の背面をスクイズするようにしてもよい。
【００７３】
また上述の第２実施形態におけるロッド高さ位置決め手段１０６は、位置決め部材昇降シリンダ１０６ａにより平板状の位置決め部材１０６ｂを昇降させるようにしているが、これに限定されるものではなく、アクチュエータ（例えば、横行シリンダ）により平板状の位置決め部材を水平移動させるようにしてもよい。この場合、例えば、該位置決め部材に各々のピストンロッド１０５ｈが通過可能な通し孔を穿孔しておく。そして、該位置決め部材を横行シリンダの先端に連結し、該位置決め部材を水平移動可能にする。そうすると、横行シリンダの伸長端では、各々のピストンロッド１０５ｈの中心と前記通し孔の中心が一致し、該ピストンロッド１０５ｈは前記通し孔内を自由に通過できるようになる。また横行シリンダの収縮端では、各々のピストンロッド１０５ｈの平面が前記通し孔から外れることになる。したがって、ピストンロッド１０５ｈを全て下降させ、横行シリンダを収縮端にした後、ピストンロッド１０５ｈを全て上昇させれば、全てのピストンロッド１０５ｈの上面が該位置決め部材の下面（前記通し孔の無い場所）に当接する。このようにすれば、上述の第２実施形態と同様に、多数のシリンダ１０５ａを全て、全ストロークの半分の位置、即ち、中間位置で停止させることができる。
【００７４】
さらに本発明の第２実施形態では、基台１の外側において、パターンキャリア昇降手段２１によりパターンキャリア（図１１では９Ａ）、鋳枠Ｗ及び盛枠１０２を昇降させるようにしたが、これに限定されるものではなく、該パターンキャリア、鋳枠Ｗ及び盛枠１０２を昇降させずに、砂充填手段２２を昇降させるようにしてもよい。この場合、砂充填手段２２を下降させることにより砂ホッパ２２ａの下面を基台１の外側に搬出された盛枠１０２の上面に当接させて、前記造型空間を形成することになる。なお砂充填手段２２を昇降させるには、例えば、砂充填手段２２に昇降シリンダを連結すればよい。
【００７５】
さらに本発明の第２実施形態では、多孔質体２６ｂとして、超高分子量ポリエチレンを焼結させて製作したものを示したが、これに限定されるものではなく、該多孔質体２６ｂは、板状材料に多数の孔（例えば、φ１ｍｍ〜φ２ｍｍの丸孔）を穿孔させたものであってもよい。
【００７６】
さらに本発明の第２実施形態では、鋳枠搬入出コンベヤ１０１は昇降しないようになっているが、これに限定されるものではなく、該鋳枠搬入出コンベヤ１０１を昇降させるようにしてもよい。
【００７７】
さらに本発明の第２実施形態では、前記造型空間に砂充填手段２２により鋳物砂Ｓを充填する工程の後に、砂充填手段２２に連通された給気バルブ２８を開くことにより、前記流気加圧による鋳物砂Ｓの予備圧縮を行うようにしたが、該流気加圧による鋳物砂Ｓの予備圧縮は必須のものではなく、省略してもよい。ただし、該流気加圧による鋳物砂Ｓの予備圧縮を行うと、パターンプレート１０、１０Ａ付近の鋳物砂Ｓの充填密度が向上するため好ましい。
【００７８】
また本発明の第１実施形態及び第２実施形態では、基台１側で一次スクイズする工程の前工程において、上鋳枠用パターンキャリア９Ａ、鋳物砂Ｓが充填された鋳枠Ｗ及び盛枠１７、１０２を上昇させた後、上鋳枠用パターンキャリア９Ａにおける枠状フレーム１１の上面をパターンプレート１０Ａの見切面より突出させた状態にしているが、これに限定されるものではなく、上鋳枠用パターンキャリア９Ａにおける枠状フレーム１１の上面をパターンプレート１０Ａの見切面より突出させた状態にした後、上鋳枠用パターンキャリア９Ａ、鋳物砂Ｓが充填された鋳枠Ｗ及び盛枠１７、１０２を上昇させるようにしてもよい。また、上鋳枠用パターンキャリア９Ａ、鋳物砂Ｓが充填された鋳枠Ｗ及び盛枠１７、１０２を上昇させる工程と、上鋳枠用パターンキャリア９Ａにおける枠状フレーム１１の上面をパターンプレート１０Ａの見切面より突出させた状態にする工程と、を同時に行うようにしてもよい。
【符号の説明】
【００７９】
１  基台
２  昇降シリンダ
３  テーブル
９  ９Ａ  パターンキャリア
１０  １０Ａ  パターンプレート
１１  枠状フレーム
１５  １０１  鋳枠搬入出機構
１７  １０２  盛枠
２０  １０５  スクイズ手段
２０ｂ  １０５ｂ  スクイズ部材
２２  砂充填手段
２２ａ  砂ホッパ
２４  開閉式のルーバーゲート
２５  砂供給口開閉手段
２５ｂ  砂供給口
２６  エヤー噴出チャンバー
２８  給気バルブ
Ｓ  鋳物砂
Ｗ  鋳枠
【図１】
0005626639.tif 000002
【図２】
0005626639.tif 000003
【図３】
0005626639.tif 000004
【図４】
0005626639.tif 000005
【図５】
0005626639.tif 000006
【図６】
0005626639.tif 000007
【図７】
0005626639.tif 000008
【図８】
0005626639.tif 000009
【図９】
0005626639.tif 000010
【図１０】
0005626639.tif 000011
【図１１】
0005626639.tif 000012
【図１２】
0005626639.tif 000013
【図１３】
0005626639.tif 000014
【図１４】
0005626639.tif 000015
【図１５】
0005626639.tif 000016
【図１６】
0005626639.tif 000017
【図１７】
0005626639.tif 000018
【図１８】
0005626639.tif 000019
【図１９】
0005626639.tif 000020
【図２０】
0005626639.tif 000021
【図２１】
0005626639.tif 000022
【図２２】
0005626639.tif 000023